(57)【特許請求の範囲】
【請求項１】
水平に配置された基板間を接続するためのコネクタであって、第１の基板と第２の基板の端部にそれぞれ配置された第１のレセプタクルと第２のレセプタクルと、複数の薄板状の接触子と、前記複数の薄板状の接触子を収納する溝部を備え、それぞれ前記第１のレセプタクルと第２のレセプタクルと嵌合可能な第１の溝部領域と第２の溝部領域を有し該第１と第２の溝部領域を可撓性の連結側部で連結した非導電材からなるプラグ本体と、該プラグ本体を覆い、前記基板間に沿った方向に可撓変形可能な導電性のシールドケースとを備えることを特徴とするシールド付きコネクタ。
【請求項２】
前記プラグ本体が、前記第１の溝部領域と前記第２の溝部領域間にプラグ本体の可動範囲を制限する制限手段を備えていることを特徴とする請求項１記載のシールド付きコネクタ。
【請求項３】
水平に配置された基板間を接続するためのコネクタであって、第１の基板と第２の基板の端部にそれぞれ配置された第１のレセプタクルと第２のレセプタクルと、複数の薄板状の接触子と、前記複数の薄板状の接触子を収納する溝部を備え、それぞれ前記第１のレセプタクルと第２のレセプタクルと嵌合可能な溝部を有する非導電材からなる第１のプラグ本体と第２のプラグ本体と、該第１と第２のプラグ本体を覆い、前記基板間に沿った方向に可撓変形可能な導電性のシールドケースとを備えることを特徴とするシールド付きコネクタ。
【請求項４】
前記第１と第２のプラグ本体が、相互の可動範囲を制限する制限手段を備えていることを特徴とする請求項３記載のシールド付きコネクタ。
【請求項５】
前記シールドケースの上板と前後の側板の間にスリットが設けられていることを特徴とする請求項１又は３記載のシールド付きコネクタ。
【請求項６】
前記シールドケースが、前記レセプタクルの側端部に設けた取付け端子と接触する接触手段を備えていることを特徴とする請求項１又は３記載のシールド付きコネクタ。
【発明の詳細な説明】
【０００１】
【発明の属する技術分野】
本発明は電子機器の回路基板等の接続の為のシールド付きコネクタに関する。
【０００２】
【従来の技術】
従来は、水平に配置される基板間を接続するためには、例えばフレクシブルケーブルを各基板に接続する方法が用いられてきた。また、基板間を水平接続する型のコネクタも存在する。
【０００３】
【発明が解決しようとする課題】
しかし、いずれの場合にも、不要輻射の低減が困難であった。これは水平に配置される基板間の位置ずれが大きく、基板に取り付けたそれぞれのレセプタクルの位置ずれも大きくなりシールド効果のある手段の設置が困難であったことによると考えられる。そこで、本発明は不要輻射の低減が可能で、基板に取り付けたレセプタクルの位置ずれを吸収できる、水平に配置された基板間を接続するシールド付きコネクタを提供することを目的とする。
【０００４】
【課題を解決するための手段】
上記目的を達成するため、本発明は、水平に配置された基板間を接続するためのコネクタであって、第１の基板と第２の基板の端部にそれぞれ配置された第１のレセプタクルと第２のレセプタクルと、複数の薄板状の接触子と、前記複数の薄板状の接触子を収納する溝部を備え、それぞれ前記第１のレセプタクルと第２のレセプタクルと嵌合可能な第１の溝部領域と第２の溝部領域を有し該第１と第２の溝部領域を可撓性の連結側部で連結した非導電材からなるプラグ本体と、該プラグ本体を覆い、前記基板間に沿った方向に可撓変形可能な導電性のシールドケースを備えたシールド付きコネクタとする。これによって、シールドケースによる不要輻射の低減が可能で、かつ、プラグ本体の第１と第２の溝部領域を可撓性の連結側部で連結し、シールドケースを前記基板間に沿った方向に可撓変形可能として、基板に取り付けたレセプタクルの位置ずれを吸収できる。
【０００５】
また、前記プラグ本体に、前記第１の溝部領域と  前記第２の溝部領域間にプラグ本体の可動範囲を制限する制限手段を設ければ、シールドケースの可撓性を超えた変形を防止できる。
【０００６】
また、水平に配置された基板間を接続するためのコネクタであって、第１の基板と第２の基板の端部にそれぞれ配置された第１のレセプタクルと第２のレセプタクルと、複数の薄板状の接触子と、前記複数の薄板状の接触子を収納する溝部を備え、それぞれ前記第１のレセプタクルと第２のレセプタクルと嵌合可能な溝部を有する非導電材からなる第１のプラグ本体と第２のプラグ本体と、該第１と第２のプラグ本体を覆い、前記基板間に沿った方向に可撓変形可能な導電性のシールドケースを備えるシールド付きコネクタとすれば、これによって、シールドケースによる不要輻射の低減が可能で、かつ、シールドケースのみを前記基板間に沿った方向に可撓変形可能とすれば、基板に取り付けたレセプタクルの位置ずれを吸収できる。
【０００７】
また、前記第１と第２のプラグ本体が、相互の可動範囲を制限する制限手段を備えるものとすれば、シールドケースの可撓性を超えた変形を防止できる。
【０００８】
また、前記シールドケースの上板と前後の側板の間にスリットを設ければ、シールドケースを前後に可撓変形可能な構造とできる。
【０００９】
また、前記シールドケースに、前記レセプタクルの側端部に設けた取付け端子と接触する接触手段を設ければ、シールドケースの基板への接続を、簡単で組立て時操作も容易な構造で、果たすことが出来る。
【００１０】
【発明の実施の形態】
以下、本発明の実施の形態を図示例と共に説明する。
【００１１】
図１乃至図８は、本発明による一実施の形態を示している。基本的に、この実施の形態におけるシールド付きコネクタは、２つのレセプタクルと、シールドケースでカバーされ複数の接触子を収納したプラグ本体からなるプラグとで構成される。
【００１２】
図１は、シールド付きコネクタの１部であるレセプタクルのそれぞれを基板のそれぞれに取り付けた状態を示す斜視図で、水平に突き合わせて配置された第１と第２の基板１ａ，１ｂの端部にそれぞれ第１のレセプタクル２ａと第２のレセプタクル２ｂが基板表面に固定されている。第１と第２のレセプタクル２ａ，２ｂは基板１ａ，１ｂの表面に設けられた導体ランド３ａ，３ｂに端子７（図３に示す。）をそれぞれ半田付けされて固定される。
【００１３】
図３は、この実施形態では同形状をしたレセプタクル２ａ，２ｂの一方、ここでは２ａを取り出してその詳細を示す斜視図である。直方体状のハウジング４には上面から底面を貫いて複数の溝部４ａと側面に脚５ａ，５ｂと取付け端子８ａを保持するための保持枠６ａをプラスチックを射出成形してなるものである。取付け端子８ａを保持するための保持枠６ａは、脚５ｂ側にも同形状に設けられているが、図３の右裏となるためここでは特に符号をつけて説明していない。
【００１４】
複数の溝部４ａのそれぞれにはＬ字状で板状の端子７が上面から１部が露出し、下面からも露出させて設けてある。側面にはＬ型の板金から成る取付け端子８ａが保持枠６ａに挿入固定されている。取付け端子８ａはハウジング４の底面と同一面となるように設けた取付片８ｄと垂直に立ち上げた立ち上げ片８ｃとで形成され、立ち上げ片８ｃには突起８ｅが設けてある。
【００１５】
この取付け端子８ａは基板１ａの大きめのランドにレセプタクル自体の固定と接地のために半田付けする。そして端子７の下端は同じく基板１ａのランド３ａにそれぞれ半田付けされ、溝部４ａから覗く端子７の上端はプラグ(後述)の端子が接続される受け部とされている。
【００１６】
図２は本実施の形態のシールド付きコネクタにより基板間を接続した状態を示す斜視図である。図１における第１，第２のレセプタクル２ａ，２ｂに後述するプラグ９を上から被せるごとく組み付けた状態を示す。
【００１７】
図４はプラグ本体１０の底面図で、プラスチックで成型した略四角の箱状を成す。四辺は概ね側壁で囲まれており、第１の溝部領域１０ａには、ジャンパーリード収納溝部１１ａ，１１ｂ，１１ｃが設けられており、第２の溝部領域１０ｂにはジャンパーリード収納溝部１１ｄ，１１ｅ，１１ｆが設けられている。可動範囲を制限するための制限手段である、凸側制限板１３ａが第１の溝部領域１０ａから伸びて、また、凹側制限板１３ｂが第２の溝部領域１０ｂから伸びて設けられている。第１の溝部領域１０ａ、第２の溝部領域１０ｂは、それぞれ第１又は第２のレセプタクルが嵌合する領域である。この実施の態様では第１，第２のレセプタクルのそれぞれ、及び、プラグ本体１０の第１，第２の溝部領域１０ａ，１０ｂそれぞれは、同形状に形成されており、第１と第２が入れ替わっても嵌合が可能である。また、第１，第２の溝部領域１０ａ，１０ｂ間は、薄い板状の壁である連結側部１０ｃ，１０ｄで繋がれている。また、プラグ本体１０の周縁には、４つの固定突起１０ｅと左右に設けた把持用突起１０ｆと、第１と第２のレセプタクル２ａ，２ｂの側端部に設けた取付け端子８ａと接触するシールドケースの接触手段としての接触片を収容する切欠き部１０ｇを設けている。
【００１８】
図６は、図４のプラグ本体に取り付けるジャンパーリードの斜視図で、ジャンパーリード１２はコ字状の薄い金属板から成り、脚部１２ａ，１２ｂがそれぞれ溝部１１ａと１１ｅに、又は、１１ｂと１１ｆに挿入され、それぞれの両者間に導電路を形成する。この結果このプラグ本体１０は図９（ａ）（ｂ）に示すように、上下にずらすように力を加えるとジャンパーリード１２や連結側部１０ｃ，１０ｄが薄板状であるので比較的容易に平行に変形する。これは第１、第２の基板１ａ，１ｂ上に取り付けられたレセプタクルの位置に狂いがあっても支障なく両者間を接続できるように基板１ａ，１ｂ間に沿った方向（以下、前後という）に動き得るようにするためである。
【００１９】
その際、可動範囲を必要以上に大きくしないで破損を防ぐために図４に基づき説明したように、前後への可動範囲を制限する手段、すなわち、凹側制限板１３ｂのコ字状凹部に凸側制限板１３ａの凸状部をはめて前後の可動範囲を制限している。
【００２０】
さらに、不要輻射を防止するシールドケースをプラグ本体１０に取り付けている。図５は、図４のプラグ本体１０にジャンパーリード１２とシールドケース１４を取り付けたプラグ９の底面図である。図７は、 図５のプラグの上面側から見た斜視図である。
【００２１】
図４のプラグ本体１０の各溝部にジャンパーリードを取り付けた後、シールドケース１４を取り付ける。図７に示すように、ステンレススチール板を打ち抜いて形成するシールドケース１４は、上板部１４ａとこれから曲げ上げたの前後側板部１４ｂ，１４ｃ、さらに、左右の側板部１４ｅ，１４ｄから基本的に構成される。前後の側板部１４ｂ，１４ｃには、それぞれ２つの接触片１６を設けている。また、左右の側板部１４ｅ，１４ｄは、それぞれ２つに分割されてプラグ本体１０の把持用突起を１０ｆを逃げている。側板部１４ｂ，１４ｃ，１４ｄ，１４ｅの間の剛性を削減する手段としてスリットを設けている。即ち各側板部をつなぐ角部には全てスリットを入れる。図７には、これらを第１のスリット１５ａ、第２のスリット１５ｂ、第３のスリット１５ｃ、第４のスリット１５ｄとして示している。また、上板部１４ａと側板部１４ｂをつなぐ角、及び上板部１４ａと側板部１４ｃをつなぐ角にもスリットを入れて、これをそれぞれ第５のスリット１５ｅ、第６のスリット１５ｆとして示す。このように各角にスリットを設けたのでシールドケース１４は前後に変形することができて、しかも上板部１４ａにはスリットなく全体を覆うことが出来てシールド効果を保持できる。
【００２２】
図８は、図２の組み込み状態の立面図を示す。すなわち、第１，第２の基板１ａ，１ｂに取り付けられた第１，第２のレセプタクル２ａ，２ｂにプラグ９を差し込んだ状態を示す立面図であり、シールドケース１４は切り起こして形成した接触片１６，１６がレセプタクル２ａ，２ｂの取付端子８ａ，８ａの立ち上げ片８ｃ，８ｃに接触して接地する。こうして、第１，第２のレセプタクル２ａ，２ｂの位置ずれにあわせて、上記のように、プラグ本体１０及びシールドケース１４が可撓性により変形し、プラグ９全体が図９（ａ）（ｂ）に示すように、前後に変形移動可能である。
【００２３】
このように、本発明に基づく、この実施の形態におけるシールド付きコネクタは、プラグ本体の側板部を薄板状とし、ジャンパーリードを薄い板金としたのでプラグ本体は前後に変形することができ、又シールドケースの各角部にスリットを設けたのでシールドケースも前後に変形することができるので全体として変形することができしかも上板１４ａにはスリットがないので全体を覆うことが出来てシールド効果を損なうことがない。
【００２４】
次に、上記の実施の形態をわずかに変えた他の本発明による実施の形態をここで、説明する。
【００２５】
上記の実施の形態では、プラグ本体１０の第１，第２の溝部領域１０ａ，１０ｂ間は、薄い板状の壁である連結側部１０ｃ，１０ｄで繋がれている。ここで説明する他の実施の形態は、連結側部１０ｃ，１０ｄのみをなくして、プラグ本体をそれぞれ第１のレセプタクルと第２のレセプタクルと嵌合可能な溝部を有する非導電材からなる第１のプラグ本体と第２のプラグ本体に分離したもので他は上記の実施の形態と同じである。第１のプラグ本体と第２のプラグ本体とは、それぞれ上記の実施の形態の第１の溝部領域１０ａと第２の溝部領域１０ｂとに相当するものである。これらの第１と第２のプラグ本体はジャンパーリードによってつながれるため、シールドケース取付け時には、一体として扱えるものである。上記の実施の形態における薄板上の連結側部１０ｃ，１０ｄは薄くすれば大きな応力は生じないが破損しやすくなり、また、厚くするとプラグ全体に大きな応力が加わってひずみを生じさせる。ここでの他の形態はこれらの点を解決できるものである。
【００２６】
【発明の効果】
以上説明したように、本発明によれば、水平に配置された基板間を接続するためのコネクタを、シールドケースによる不要輻射の低減が可能で、かつ、基板に取り付けたレセプタクルの位置ずれを吸収できるものとすることができる。
【図面の簡単な説明】
【図１】  本発明による一実施の形態であるシールド付きコネクタの１部であるレセプタクルのそれぞれを基板のそれぞれに取り付けた状態を示す概略斜視図である。
【図２】  図１と同じ実施の形態におけるシールド付きコネクタにより基板間を接続した状態を示す概略斜視図である。
【図３】  図１のレセプタクルの一方を取り出してその詳細を示す斜視図である。
【図４】  図１と同じ実施の形態におけるシールド付きコネクタのプラグ本体の底面図である。
【図５】  図４のプラグ本体にジャンパーリードとシールドケースを取り付けたプラグの底面図である。
【図６】  図４のプラグ本体に取り付けるジャンパーリードの斜視図である。
【図７】  図５のプラグの上面側から見た斜視図である。
【図８】  図２の組み込み状態の立面図を示す。
【図９】  図４のプラグ本体、図５又は図７のプラグの変形例を示す説明図で（ａ）は図面上方向への変形例、（ｂ）は図面下方向への変形例を示す。
【符号の説明】
１ａ  第１の基板、１ｂ  第２の基板、２ａ  第１のレセプタクル、２ｂ  第２のレセプタクル、４  ハウジング、４ａ  溝、５ａ，５ｂ  脚、６ａ  保持枠、７  端子、８ａ  取付け端子、８ｃ  立ち上げ片、８ｄ  取付片、８ｅ  突起、９  プラグ、１０  プラグ本体、１０ａ  第１の溝部領域、１０ｂ  第２の溝部領域、１０ｃ，１０ｄ  連結側部、１０ｅ  固定突起、１０ｆ  把持用突起、１０ｇ  切欠き部、１１ａ，１１ｂ，１１ｃ，１１ｄ，１１ｅ，１１ｆ  ジャンパーリード収納溝部、１２  ジャンパーリード、１２ａ，１２ｂ  脚部、１３ａ凸側制限板、１３ｂ  凹側制限板、１４  シールドケース、１４ａ  上板部、１４ｂ，１４ｃ  前後の側板部、１４ｄ，１４ｅ  左右の側板部、１５ａ  第１のスリット、１５ｂ  第２のスリット、１５ｃ  第３のスリット、１５ｄ  第４のスリット、１５ｅ  第５のスリット、１５ｆ  第６のスリット、１６  接触片。
【図１】
0004674301.tif 000002
【図２】
0004674301.tif 000003
【図３】
0004674301.tif 000004
【図４】
0004674301.tif 000005
【図５】
0004674301.tif 000006
【図６】
0004674301.tif 000007
【図７】
0004674301.tif 000008
【図８】
0004674301.tif 000009
【図９】
0004674301.tif 000010